Podtech/llm-jp-corpus-v4-ja_patent huggingface dataset:
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
各々が１以上の個別のＬＥＤを含む２以上のＬＥＤ群及び電流分配手段を有し、前記２以上のＬＥＤ群の各々が、互いに異なる群カラーポイントと互いに異なる群閾電圧とを備える、２つの入力端子を有するＬＥＤシステムと、
前記ＬＥＤシステムの２つの入力端子に各々結合される２つの出力端子を有し、前記ＬＥＤシステムに動作電力を供給するための単一の制御可能なドライバと、
前記ドライバを制御するための制御装置と、
を有する照明システムであって、
前記制御装置は前記ドライバの出力電圧を制御し、前記電流分配手段は前記ＬＥＤシステムの前記入力端子における入力電圧に応答して、前記ドライバから電流を引き込むと共に、該電流を前記入力電圧のレベルに依存して別々の前記ＬＥＤ群の間で分配する、
照明システム。
【請求項２】
前記電流分配手段が、各ＬＥＤ群に対するＬＥＤ群電流を前記入力電圧のレベルに依存して決定すると共に、各ＬＥＤ群へ対応するＬＥＤ群電流を供給し、前記ドライバから全てのＬＥＤ群電流の和を引き込む、請求項１に記載の照明システム。
【請求項３】
１つのＬＥＤ群における電流のみがゼロとならない少なくとも１つの第１の範囲の入力電圧が存在し、且つ、第２のＬＥＤ群における電流のみがゼロとならない少なくとも１つ
の第２の範囲の入力電圧が存在する、請求項１に記載の照明システム。
【請求項４】
前記電流分配手段が、前記ＬＥＤシステムのハードウェア構成により実装される、請求項１に記載の照明システム。
【請求項５】
前記ＬＥＤシステムが、該ＬＥＤシステムの前記入力端子に並列に接続された少なくとも２つのＬＥＤ群を有し、第１ＬＥＤ群の群閾電圧は第２ＬＥＤ群の群閾電圧より小さく、前記第１ＬＥＤ群の群カラーポイントが前記第２ＬＥＤ群の群カラーポイントとは異なる、請求項１ないし４の何れか一項に記載の照明システム。
【請求項６】
前記第１ＬＥＤ群は、好ましくは抵抗である、第１インピーダンスに直列に接続され、好ましくは前記第２ＬＥＤ群に対する直列インピーダンス値が前記第１インピーダンスのインピーダンス値より小さい、請求項５に記載の照明システム。
【請求項７】
前記ＬＥＤ群のうちの少なくとも１つが分圧器を介して前記入力端子に結合される、請求項５に記載の照明システム。
【請求項８】
前記ＬＥＤ群の並列構成が、共通抵抗に対して直列に接続された、請求項５に記載の照明システム。
【請求項９】
前記第２ＬＥＤ群における電流を感知するために該第２ＬＥＤ群に組み合わされた電流センサと、
前記電流センサの出力信号を受けるように結合された入力端を有する電流抑圧手段と、
を更に有し、
前記電流抑圧手段は、前記第２ＬＥＤ群において電流の大きさが増大するにつれて前記第１ＬＥＤ群における電流を累進的に抑圧する、請求項５に記載の照明システム。
【請求項１０】
前記ドライバは、正及び負の電圧を供給することができ、前記システムは、正のドライバ電圧に応答する第１ＬＥＤシステムと、負のドライバ電圧に応答する第２ＬＥＤシステムとを有する、請求項１に記載の照明システム。
【請求項１１】
前記２つのＬＥＤシステムが互いに同一であると共に互いに逆並列に接続された、請求項１０に記載の照明システム。
【請求項１２】
前記第２ＬＥＤシステムのＬＥＤのカラーポイントが前記第１ＬＥＤシステムのＬＥＤのカラーポイントとは異なる、請求項１０に記載の照明システム。
【請求項１３】
前記ＬＥＤシステムが、
該ＬＥＤシステムの第１及び第２入力端子間に接続された第１抵抗、第１ＬＥＤ群及び第２抵抗の直列接続であって、前記第１抵抗と前記第１ＬＥＤ群との間の第１ノード及び前記第１ＬＥＤ群と前記第２抵抗との間の第２ノードを備え、前記第１ＬＥＤ群が第１群閾電圧及び第１群カラーポイントを有する直列接続と、
前記第１入力端子と前記第２ノードとの間に前記第１ＬＥＤ群と並列に接続され、且つ
、第２群閾電圧及び第２群カラーポイントを有する第２ＬＥＤ群と、
前記第１ノードと前記第２入力端子との間に前記第１ＬＥＤ群と並列に接続され、且つ
、第３群閾電圧及び第３群カラーポイントを有する第３ＬＥＤ群と、
前記第１ノードと前記第２ノードとの間に前記第１ＬＥＤ群と逆並列に接続され、且つ
、第４群閾電圧及び第４群カラーポイントを有する第４ＬＥＤ群と、
を有し、
前記第２群閾電圧は前記第１群閾電圧より高く、
前記第３群閾電圧は前記第１群閾電圧より高く、且つ、好ましくは前記第２群閾電圧に等しく、
前記第２群カラーポイントは前記第１群カラーポイントとは異なり、
前記第３群カラーポイントは前記第１群カラーポイントとは異なり、且つ、好ましくは
前記第２群カラーポイントに等しく、
前記第４群カラーポイントは前記第１群カラーポイント及び前記第２群カラーポイントとは異なる、
請求項１に記載の照明システム。
【請求項１４】
前記ドライバが正及び負の電圧を供給することができ、前記ＬＥＤシステムが、
前記第１入力端子と前記第２ノードとの間に前記第２ＬＥＤ群と逆並列に接続され、且つ、第５群閾電圧及び第５群カラーポイントを有する第５ＬＥＤ群と、
前記第１ノードと前記第２入力端子との間に前記第３ＬＥＤ群と逆並列に接続され、且つ、第６群閾電圧及び第６群カラーポイントを有する第６ＬＥＤ群と、
を更に有し、
前記第６群閾電圧は前記第４群閾電圧より高く、
前記第６群カラーポイントは前記第４群カラーポイントとは異なり、
前記第５群カラーポイントは前記第４群カラーポイントとは異なり、且つ、好ましくは
前記第６カラーポイントに等しい、
請求項１３に記載の照明システム。
【請求項１５】
前記制御装置が前記ドライバの出力電圧を、前記ＬＥＤシステムの光出力が、該制御装置により受信される入力信号により定められた所望のカラーポイントを平均して有するように、規則的に変化させる、請求項１ないし１４の何れか一項に記載の照明システム。
【誤訳訂正書】
【提出日】平成27年2月27日(2015.2.27)
【誤訳訂正１】
【訂正対象書類名】明細書
【訂正対象項目名】発明の名称
【訂正方法】変更
【訂正の内容】
【発明の名称】セキュアデータおよび非セキュアデータを送受信するための方法および装置
【誤訳訂正２】
【訂正対象書類名】図面
【訂正対象項目名】図７
【訂正方法】変更
【訂正の内容】
【図７】
2014502461.tif 000001
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
ＷＴＲＵにおいて、専用部分、第１の共通部分、および第２の共通部分に関連付けられた復調情報を取得するステップと、
前記復調情報に従って、少なくとも前記第１の共通部分、前記第２の共通部分、および前記専用部分を含む受信された信号を処理するステップと、
前記第１の共通部分、前記第２の共通部分、前記専用部分についての肯定応答および／または否定応答（ＡＣＫ／ＮＡＣＫ）の組合せを示すマルチパートハイブリッド自動再送要求（ＨＡＲＱ）メッセージを送信するステップと
を含むことを特徴とする方法。
【請求項２】
前記復調情報は変調符号化方式（ＭＣＳ）情報を含むことを特徴とする請求項１に記載の方法。
【請求項３】
前記第１の共通部分についての前記ＭＣＳ情報は、第１のｅＮｏｄｅＢの物理下りリンク制御チャネル（ＰＤＣＣＨ）から取得され、前記第２の共通部分についての前記ＭＣＳは、第２のｅＮｏｄｅＢのＰＤＣＣＨから取得されることを特徴とする請求項２に記載の方法。
【請求項４】
前記ＭＣＳ情報は復調用参照シンボル（ＤＭ−ＲＳ）から取得されることを特徴とする請求項１に記載の方法。
【請求項５】
前記復調情報はプリコーダ情報を含むことを特徴とする請求項１に記載の方法。
【請求項６】
前記復調情報は電力割り当てを含むことを特徴とする請求項１に記載の方法。
【請求項７】
逐次干渉キャンセル（ＳＩＣ）指標メッセージを送信するステップをさらに含むことを特徴とする請求項１に記載の方法。
【請求項８】
逐次干渉キャンセルを使用して、前記マルチパートＨＡＲＱメッセージに応答して再送される信号を処理するステップをさらに含むことを特徴とする請求項１に記載の方法。
【請求項９】
前記専用部分および前記第１の共通部分は、第１の送信機から送信されたこと、および、前記第２の共通部分は、第２の送信機から送信されたことを特徴とする請求項１に記載の方法。
【請求項１０】
前記ＷＴＲＵは、前記専用部分および前記第１の共通部分の対象とする受信機であり、前記第２の共通部分を対象とした受信機ではないことを特徴とする請求項９に記載の方法。
【請求項１１】
前記マルチパートＨＡＲＱは、専用部分および共通部分の数よりも少ないビットを備えることを特徴とする請求項１に記載の方法。
【請求項１２】
前記ＷＴＲＵにおいて、前記専用部分、前記第１の共通部分、および前記第２の共通部分の復号命令を取得するステップをさらに含むことを特徴とする請求項１に記載の方法。
【請求項１３】
前記専用部分は、前記ＷＴＲＵが復号することが可能でありおよび他のＷＴＲＵが復号することが不可能であるレートで符号化され、前記第１の共通部分は、前記ＷＴＲＵおよび他のＷＴＲＵが復号することが可能であるレートで符号化され、前記第２の共通部分は、前記ＷＴＲＵおよび他のＷＴＲＵが復号することが可能であるレートで符号化されることを特徴とする請求項１に記載の方法。
【請求項１４】
専用部分、第１の共通部分、および第２の共通部分に関連付けられた復調情報を取得し、
前記復調情報に従って、少なくとも前記第１の共通部分、前記第２の共通部分、および前記専用部分を含む受信された信号を処理し、
ＨＡＲＱプロセスを制御し、および、前記第１の共通部分、前記第２の共通部分、および前記専用部分についての肯定応答および／または否定応答（ＡＣＫ／ＮＡＣＫ）の組合せを示すマルチパートＨＡＲＱメッセージを生成する
ように構成された、プロセッサを含むＷＴＲＵと、
前記マルチパートＨＡＲＱメッセージを送信するように構成された送受信機と
を備えたことを特徴とする装置。
【請求項１５】
前記ＷＴＲＵは、第１のｅＮｏｄｅＢの物理下りリンク制御チャネル（ＰＤＣＣＨ）から前記第１の共通部分についての変調符号化方式（ＭＣＳ）情報を取得し、第２のｅＮｏｄｅＢのＰＤＣＣＨから前記第２の共通部分についてのＭＣＳ情報を取得するように構成されることを特徴とする請求項１４に記載の装置。
【請求項１６】
前記ＷＴＲＵは、復調用参照シンボル（ＤＭ−ＲＳ）から前記ＭＣＳ情報を取得するように構成されることを特徴とする請求項１４に記載の装置。
【請求項１７】
前記復調情報はプリコーダ情報または電力割り当てのうちの１つを含むことを特徴とする請求項１４に記載の装置。
【請求項１８】
前記ＷＴＲＵは、逐次干渉キャンセル（ＳＩＣ）指標メッセージを送信するようにさらに構成されることを特徴とする請求項１４に記載の装置。
【請求項１９】
前記専用部分および前記第１の共通部分は、第１の送信機から送信されたこと、および、前記第２の共通部分は、第２の送信機から送信されたことを特徴とする請求項１４に記載の装置。
【請求項２０】
前記ＷＴＲＵは、前記専用部分および前記第１の共通部分の対象とする受信機であり、前記第２の共通部分を対象とした受信機ではないことを特徴とする請求項１９に記載の装置。
【請求項２１】
前記マルチパートＨＡＲＱは、専用部分および共通部分の数よりも少ないビットを備えることを特徴とする請求項１４に記載の装置。
【請求項２２】
前記プロセッサは、前記専用部分、前記第１の共通部分、および前記第２の共通部分の復号命令を取得するようにさらに構成されることを特徴とする請求項１４に記載の装置。
【請求項２３】
前記専用部分は、前記ＷＴＲＵが復号することが可能でありおよび他のＷＴＲＵが復号することが不可能であるレートで符号化され、前記第１の共通部分は、前記ＷＴＲＵおよび他のＷＴＲＵが復号することが可能であるレートで符号化され、前記第２の共通部分は、前記ＷＴＲＵおよび他のＷＴＲＵが復号することが可能であるレートで符号化されることを特徴とする請求項１４に記載の装置。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）であって、
１つまたは複数の送信ポイントを識別し、該１つまたは複数の送信ポイントは複数の非ゼロ電力チャネル状態情報基準信号（ＣＳＩ−ＲＳ）リソースに関連付けられ、該複数の非ゼロ電力ＣＳＩ−ＲＳリソースは複数のＣＳＩ−ＲＳリソース構成に対応し、
前記１つまたは複数の送信ポイントに関連付けられた前記複数の非ゼロ電力ＣＳＩ−ＲＳリソースを測定し、
前記複数の非ゼロ電力ＣＳＩ−ＲＳリソースについてＣＳＩを生成し、
当該ＷＴＲＵとの通信において１つまたは複数のノードに前記ＣＳＩを送信する
ように、少なくとも一部が構成されたプロセッサを備えたことを特徴とする無線送信／受信ユニット（ＷＴＲＵ）。
【請求項２】
前記複数の非ゼロ電力ＣＳＩ−ＲＳリソースは、当該ＷＴＲＵとの通信において複数のアンテナポートに対応することを特徴とする請求項１記載のＷＴＲＵ。
【請求項３】
前記プロセッサは、該ＷＴＲＵの物理層よりも高位の１つまたは複数の論理層からのシグナリングを介して前記１つまたは複数の送信ポイントのインジケーションを受信するようにさらに構成されたことを特徴とする請求項１記載のＷＴＲＵ。
【請求項４】
前記プロセッサは、前記１つまたは複数の送信ポイントからそれぞれ送信される信号の少なくとも１つの特性の少なくとも一部に基づいて、前記１つまたは複数の送信ポイントを決定するようにさらに構成されたことを特徴とする請求項１記載のＷＴＲＵ。
【請求項５】
前記少なくとも１つの特性は、信号強度、信号品質、またはチャネル品質のうちの少なくとも１つであることを特徴とする請求項４記載のＷＴＲＵ。
【請求項６】
前記複数の非ゼロ電力ＣＳＩ−ＲＳリソース構成は物理層よりも高位の論理層からシグナリングされ、および前記複数の非ゼロ電力ＣＳＩ−ＲＳリソースは１つまたは複数のサブフレームにおいてＣＳＩ報告のために構成されたことを特徴とする請求項１記載のＷＴＲＵ。
【請求項７】
前記プロセッサは、少なくとも１つのサブフレームにおいて少なくとも１つのサブセットについて前記ＣＳＩを送信するようにさらに構成され、前記少なくとも１つのサブフレームはシステムフレーム番号またはサブフレーム番号の少なくとも１つの少なくとも一部に基づいて決定されることを特徴とする請求項６記載のＷＴＲＵ。
【請求項８】
前記プロセッサは、非周期的手法において少なくとも１つのサブフレーム内の少なくとも１つのサブセットについて前記ＣＳＩを送信するようにさらに構成されたことを特徴とする請求項６記載のＷＴＲＵ。
【請求項９】
前記複数の非ゼロ電力ＣＳＩ−ＲＳリソースは、ＩCSI-RS  サブフレームパラメータを用いてさらに構成されたことを特徴とする請求項６記載のＷＴＲＵ。
【請求項１０】
前記複数の非ゼロ電力ＣＳＩ−ＲＳリソースは、当該ＷＴＲＵが、複数のＣＳＩ−ＲＳリソースの各々について少なくとも１つの物理ダウンリンク共有チャネル（ＰＤＳＣＨ）送信電力Ｐｃを仮定するようにさらに構成されたことを特徴とする請求項６記載のＷＴＲＵ。
【請求項１１】
前記複数の非ゼロ電力ＣＳＩ−ＲＳリソースは、当該ＷＴＲＵが、複数のＣＳＩ−ＲＳリソースの各々についてＣＳＩリソース要素（ＥＰＲＥ）に対するＥＰＲＥ当たりの物理ダウンリンク共有チャネル（ＰＤＳＣＨ）エネルギーの比についての１つ又は複数の値を仮定するようにさらに構成されたことを特徴とする請求項６記載のＷＴＲＵ。
【請求項１２】
前記プロセッサは前記識別された１つまたは複数の送信ポイントが複数の非ゼロ電力ＣＳＩ−ＲＳにさらに関連付けられるようにさらに構成され、前記プロセッサは１つ又は複数の干渉測定について前記複数の非ゼロ電力ＣＳＩ−ＲＳを使用するようにさらに構成されたことを特徴とする請求項６記載のＷＴＲＵ。
【請求項１３】
無線送信／受信ユニット（ＷＴＲＵ）によって実行される方法であって、
Ｋ個の送信ポイントを識別するステップであって、前記Ｋ個の送信ポイントはチャネル状態情報（ＣＳＩ）報告のために構成され、Ｋは整数であり、前記Ｋ個の送信ポイントは1つ又は複数のチャネル状態情報基準信号（ＣＳＩ−ＲＳ）リソースに関連付けられた、該ステップと、
物理層よりも高位の１つまたは複数の論理層から送られる１つまたは複数の信号からＣＳＩ報告についてモードを決定するステップと、
前記1つ又は複数のＣＳＩ−ＲＳリソースについて１つまたは複数のＣＳＩ報告を生成するステップであって、前記１つまたは複数のＣＳＩ報告は前記ＣＳＩ報告についてのモードに対応する、該ステップと、
前記ＷＴＲＵとの通信において１つまたは複数のノードに前記ＣＳＩ報告を、1つ又は複数のサブフレームにおいて周期的に送信するステップと
を備えたことを特徴とする方法。
【請求項１４】
前記物理層よりも高位の前記１つまたは複数の論理層から送られる前記１つまたは複数の信号から前記1つ又は複数のサブフレームについての周期性又はオフセットの少なくとも１つを受信するステップをさらに備えたことを特徴とする請求項１３記載の方法。
【請求項１５】
前記Ｋ個の送信ポイントはそれぞれ優先権が割り当てられ、および当該方法はさらに、第１の送信ポイントに関連付けられた第１のＣＳＩ−ＲＳリソースについての第１のＣＳＩ報告と、第２の送信ポイントに関連付けられた第２のＣＳＩ−ＲＳリソースについての第２のＣＳＩ報告との間での衝突時に、少なくとも、前記第１のＣＳＩ報告と前記第２のＣＳＩ報告との優先度の順序を決定するステップをさらに備え、前記優先度の順序は、少なくとも前記第１の送信ポイントおよび前記第２の送信ポイントのそれぞれの優先権に基づくことを特徴とする請求項１３記載の方法。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
流体（２）のためのネブライザ（１）、特に吸入器であって、
前記流体（２）を収容した交換可能な容器（３）と、
現在の容器（３）の作動回数及び／又は使用済みの又は依然として使用できる容器（３）の個数を計数する計数装置（２３）とを有する、ネブライザにおいて、
前記容器（３）は、電子記憶装置（２８）を備え、前記ネブライザ（１）、前記容器（３）及び／又は前記計数装置（２３）は、前記電子記憶装置（２８）を電気的に接続する接続手段（３０）を有すると共に／或いは、
前記ネブライザ（１）は、ロック（２４）を作動させる電気駆動装置（３４）を有し、前記ロック（２４）は、前記容器（３）を交換しなければならない場合及び／又は現在の容器（３）について所定の作動回数に達し又はこれを超えた場合、前記ネブライザ（１）を第１のロック状態においてそれ以上使用できないようロックすると共に／或いは前記第１のロック状態に達する前に又は第２のロック状態において前記ネブライザ（１）の開放又は容器（３）の交換ができないようロックする、ネブライザ。
【請求項２】
前記電子記憶装置（２８）は、電気的に消去可能であり、プログラム可能であり且つ／或いは読み取り専用であり、特にＥＥＰＲＯＭである、請求項１記載のネブライザ。
【請求項３】
前記電子記憶装置（２８）は、前記容器（３）から分離できず且つ／或いは前記容器（３）のベース（２１）に取り付けられている、請求項１又は２記載のネブライザ。
【請求項４】
前記接続手段（３０）は、１つ又は２つ以上の導体（３１）及び／又はワイパ（３２）を含む、請求項１〜３のうちいずれか一に記載のネブライザ。
【請求項５】
前記計数装置（２３）は、前記ロック（２４）及び／又は電気駆動装置（３４）を制御し又は作動させる、請求項１〜４のうちいずれか一に記載のネブライザ。
【請求項６】
前記電気駆動装置（３４）は、電気モータ（３５）及び関連のスピンドル（３６）を有し、前記スピンドル（３６）と噛み合っているロック要素（３７）を軸方向に動かすことができるようになっている、請求項１〜５のうちいずれか一に記載のネブライザ。
【請求項７】
前記ネブライザ（１）は、前記電気駆動装置（３４）のエネルギー供給のためのバッテリ（４２）を有する、請求項１〜６のうちいずれか一に記載のネブライザ。
【請求項８】
前記ロック（３４）は、前記第１のロック状態において流体（２）を圧力発生器（５）中に運ぶことがないよう且つ／或いは前記ネブライザ（１）のエネルギー貯蔵装置、好ましくは駆動ばね（７）の引っ張り操作が行えないよう前記ネブライザ（１）をロックする、請求項１〜７のうちいずれか一に記載のネブライザ。
【請求項９】
前記第１のロック状態は、前記容器（３）を交換した場合に前記ロック（２４）をリセットすることによってリセットされる、請求項１〜８のうちいずれか一に記載のネブライザ。
【請求項１０】
前記ロック（２４）及び／又は前記第１のロック状態は、第２のロック状態にあるとき、所定個数の容器（３）を用いた場合又は前記ネブライザ（１）中に挿入した場合にリセットできないよう制止される、請求項９記載のネブライザ。
【請求項１１】
前記ネブライザ（１）は、前記容器（３）を交換するために取り外し可能又は開放可能であるハウジング部品（１８）を有する、請求項１〜１０のうちいずれか一に記載のネブライザ。
【請求項１２】
前記計数装置（２３）及び／又は前記接続手段（３０）は、前記ハウジング部品（１８）及び／又は前記容器（３）上に又はこの中に、特にこれから分離できない状態で配置される、請求項１１記載のネブライザ。
【請求項１３】
前記ロック（２４）及び前記電気駆動装置（３４）は、前記ハウジング部品（１８）上に又はこの中に、特にこれから分離できない状態で配置されている、請求項１１又は１２記載のネブライザ。
【請求項１４】
前記容器（３）は、前記流体（２）の運搬中、圧力発生中及び／又は噴霧化中、前記ネブライザ（１）内で且つ／或いは前記ネブライザ（１）のハウジング部品（１８）に対して動くことができ、好ましくは前後に動くことができる、請求項１〜１３のうちいずれか一に記載のネブライザ。
【請求項１５】
前記計数装置（２３）は、前記容器（３）の動作を作動として計数すると共に／或いは前記接続手段（３０）は、少なくとも前記容器（３）の端位置で又は前記容器（３）の端位置でのみ前記電子記憶装置（２８）への電気的接続を可能にする、請求項１４記載のネブライザ。
【手続補正書】
【提出日】平成27年5月12日(2015.5.12)
【手続補正１】
【補正対象書類名】明細書
【補正対象項目名】００９２
【補正方法】変更
【補正の内容】
【００９２】
本明細書で使用する用語「薬物」または「薬剤」は、少なくとも１つの薬学的に活性な化合物を含む医薬製剤を意味し、
ここで１実施態様において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施態様において、薬学的に活性な化合物は、糖尿病、または糖尿病性網膜症などの糖尿病関連の合併症、深部静脈または肺血栓塞栓症などの血栓塞栓症、急性冠症候群（ＡＣＳ）、狭心症、心筋梗塞、癌、黄斑変性症、炎症、枯草熱、アテローム性動脈硬化症および／または関節リウマチの処置および／または予防に有用であり、
ここで、さらなる実施態様において、薬学的に活性な化合物は、糖尿病または糖尿病性網膜症などの糖尿病に関連する合併症の処置および／または予防のための、少なくとも１つのペプチドを含み、
ここで、さらなる実施態様において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
患者着用式エネルギ供給システムであって、
除細動器装置と、
前記除細動器装置を支持するように構築および配置された支持ガーメントとを含み、
前記支持ガーメントは、患者が着用するように構成され、片側組立てのために構築および配置され、
前記支持ガーメントは、ベルトと、前記ベルトに選択的に取付けられるように構成された調節可能な肩ストラップとをさらに備え、
前記除細動器装置を前記支持ガーメントに容易に取付けるように構成されたコード化システムを含む、患者着用式エネルギ供給システム。
【請求項２】
前記肩ストラップは、前記患者の前面で前記ベルトに選択的に取付けられることが可能である、請求項１に記載のシステム。
【請求項３】
前記支持ガーメントは、弾性かつ低ばね定数の材料を含む、請求項１に記載のシステム。
【請求項４】
患者測量バンドであって、
前記測量バンドの長さに沿って複数のコード化ゾーンを含み、
各コード化ゾーンは、患者身体の周囲長に基づいた除細動器支持ガーメントのサイズに対応する、患者測量バンド。
【請求項５】
除細動器支持ガーメントを患者に装着する方法であって、
患者の胸部の周りに患者測量バンドを広げるステップを含み、
前記患者測量バンドは、前記測量バンドの長さに沿って複数のコード化ゾーンを含み、各コード化ゾーンは、患者身体の周囲長に基づいた除細動器支持ガーメントのサイズに対応し、
前記患者測量バンドにより特定された除細動器支持ガーメントのサイズに基づき、除細動器支持ガーメントを選択するステップと、
除細動器装置を前記除細動器支持ガーメントに容易に取付けるように構成されたコード化システムに基づき、前記除細動器装置を前記除細動器支持ガーメントに適用するステップと、
患者により片側組立作業で着用されるために、前記除細動器支持ガーメントを用意するステップと、
前記除細動器支持ガーメントを前記患者に固定するステップとを含む、方法。
【請求項６】
前記除細動器支持ガーメントを前記患者に固定するステップは、前記患者の前面で、前記除細動器支持ガーメントの肩ストラップを前記除細動器支持ガーメントのバンドまたはベルトに固定することを含む、請求項５に記載の方法。
【請求項７】
前記材料は約８５％のスパンデックスと約１５％のナイロンとを含んでいる、請求項３に記載のシステム。
【請求項８】
患者モニタ、患者表示部、触覚的アラーム、および加速度計のうち１以上をさらに備える、請求項１に記載のシステム。
【請求項９】
前記患者の前面または背面に治療電極を受けるように配列された少なくとも１つのポケットをさらに備える、請求項１に記載のシステム。
【請求項１０】
前記ポケットは、前記治療電極と関連付けられた導電性ゲルが通過することを許容する間に、前記患者の皮膚から前記治療電極の金属性表面を絶縁するように、構成され、配置されている、請求項９に記載のシステム。
【請求項１１】
前記支持ガーメントは、前記患者の胸部の周りに複数の検出電極を分配するように、構成され、配置されている、請求項１に記載のシステム。
【請求項１２】
前記支持ガーメントは、前記患者の皮膚に対する前記検出電極の相対的な移動を防止するために高摩擦エラストマーで覆われた少なくとも１つのゾーンを含む、請求項１１に記載のシステム。
【請求項１３】
少なくとも１つの検出電極は、非イオン性または非接着性である、請求項１１に記載のシステム。
【請求項１４】
前記支持ガーメントは、組立ての際に接続箱からの配線を容易にするために、ノッチまたは切欠きを規定する、請求項１に記載のシステム。
【請求項１５】
前記支持ガーメントは、前記除細動器装置と関連する１以上の電極に均一な圧力を供給するように、構成され、配置されている、請求項１に記載のシステム。
【請求項１６】
前記支持ガーメントは、前記除細動器装置と関連する電極の間の適切な間隔を促進するためにサイズが決められる、請求項１に記載のシステム。
【請求項１７】
前記コード化システムは、前記除細動器装置および前記支持ガーメントの１以上の構成要素の間での色マッチングを伴う、請求項１に記載のシステム。
【請求項１８】
前記支持ガーメントは、前記支持ガーメントの周囲の調整を容易にするための延在部をさらに備える、請求項１に記載のシステム。
【請求項１９】
前記支持ガーメントの内側に取り付けられている、弾性を持たせた織物力部材をさらに備える、請求項１に記載のシステム。
【請求項２０】
前記除細動器装置の構成要素は、前記支持ガーメントの内側に直接取り付けられるように構成された少なくとも複数の検出電極を備える、請求項１に記載のシステム。
【請求項２１】
前記支持ガーメントは、少なくとも複数の検出電極を含む構成要素の、前記支持ガーメントの内側への直接取付けのための、少なくとも１つのフックおよび、パイルファスナー、スナップまたはボタンを含む、請求項２０に記載のシステム。
【請求項２２】
前記コード化システムは、少なくとも複数の検出電極を含む構成要素の、前記支持ガーメントの内側への直接の、取外し可能な取付けを容易にするように構成されている、請求項２０に記載のシステム。
【誤訳訂正書】
【提出日】平成27年5月1日(2015.5.1)
【誤訳訂正１】
【訂正対象書類名】特許請求の範囲
【訂正対象項目名】全文
【訂正方法】変更
【訂正の内容】
【特許請求の範囲】
【請求項１】
給水栓及び手乾燥装置を組み込んだシンク用装備品であって、
前記給水栓は、シンクの洗面器上に突出するように配置される噴出口を備え、前記手乾燥装置は、
手のひらを開いた状態で対向するノズルの間を通過させる場合に、ユーザの左手の前面及び裏面に空気を向けるために噴出口の左手側に取り付けられた対向するペアの左側ノズルと、
手のひらを開いた状態で対向するノズルの間を通過させる場合に、ユーザの右手の前面及び裏面に空気を向けるために噴出口の右手側に取り付けられた対向するペアの右側ノズルと、
を備える装備品。
【請求項２】
対向する前記左側ノズル及び前記右側ノズルは、前記噴出口から離れる方向に延びる、前記装備品のそれぞれの対向する部分に配置される、請求項１に記載の装備品。
【請求項３】
前記装備品のそれぞれの対向する部分に沿って横方向に延びる、複数の前記対向する左側ノズルと、前記装備品のそれぞれの対向する部分に沿って横方向に延びる、複数の前記対向する右側ノズルとを備える、請求項２に記載の装備品。
【請求項４】
前記ノズルは、前記装備品のそれぞれの対向する部分に沿って１列又はそれ以上の列で配置される、請求項２又は３に記載の装備品。
【請求項５】
前記装備品のそれぞれの対向する部分の各々は、供給ダクトを備え、前記装備品の前記部分のそれぞれの前記ノズルは、前記ノズルの前で手のひらを開いた状態に保持する際にユーザの手の幅にわたって延びるように、前記供給ダクトの壁面に沿って軸方向に延び、供給ダクトの各々は、使用時にユーザのそれぞれの親指に近い端部である入口端部において、前記供給ダクトを通って前記ノズルの各々に軸方向空気流を連続的に供給するモータ駆動ファンに接続可能である、請求項２から４のいずれかに記載の装備品。
【請求項６】
前記供給ダクトの断面積は、前記供給ダクトの長さに沿って略一定であり、前記供給ダクトの長さに沿ったノズル出口速度の漸進的な直立化をもたらすようになっており、あるいは、前記供給ダクトの断面積は、前記供給ダクトを通る軸方向流の速度の対応する斬進的な低下を介して、なおノズル出口速度の当該直立化を保証するような方法で変化する、請求項５に記載の装備品。
【請求項７】
前記供給ダクトの断面積は、前記供給ダクトの長さに沿ってテーパー付けされる、請求項６に記載の装備品。
【請求項８】
前記供給ダクトは、略円筒形である、請求項６に記載の装備品。
【請求項９】
前記供給ダクトは、前記手乾燥装置の外側部分を形成し、前記ノズルは、前記供給ダクトの壁面に設けられる、請求項５から８のいずれかに記載の装備品。
【請求項１０】
前記装備品の前記部分及び前記噴出口は全て同じ平面に位置する、請求項２から９のいずれかに記載の装備品。
【請求項１１】
各ノズルは、幅が1mm未満で、前記装備品のそれぞれの前記部分に沿って延びる細長いスリットの形態である、請求項２から１０のいずれかに記載の装備品。
【請求項１２】
請求項１から１０のいずれかに記載の装備品と結合したシンクを備える装置であって、前記装備品は、前記噴出口が前記シンクの洗面器上に突出した状態で前記シンクに取り付けられ、前記装備品上の手乾燥装置ノズルは、ユーザの手を乾燥させるように前記ノズルを通って空気流を送り込むためのモータ駆動ファンの圧力側に流体接続される、装置。
【請求項１３】
前記モータ駆動ファンは、１００ｍ／ｓを超える出口速度でノズルを通って空気流を送り込むように構成される、請求項１２に記載の装置。
【請求項１４】
前記噴出口は、５から１５度の角度で下向きに延びる、請求項１３に記載の装置。
【誤訳訂正２】
【訂正対象書類名】明細書
【訂正対象項目名】発明の名称
【訂正方法】変更
【訂正の内容】
【発明の名称】シンク用装備品及びシンクを備える装置
【誤訳訂正３】
【訂正対象書類名】明細書
【訂正対象項目名】００１８
【訂正方法】変更
【訂正の内容】
【００１８】
装備品の横方向に延びる部分の各々は供給ダクトを備え、装備品のこの部分上のそれぞれのノズルは、ノズルの前側でユーザが手のひらを開いた状態で保持した場合、ユーザの手の幅にわたって広がるように、供給ダクトの壁面に沿って広がる。各々の供給ダクトは、使用時にユーザのそれぞれの親指に最も近い入口端部において、軸方向空気流を、ダクトを通って各々のノズルに連続的に供給するためのモータ駆動ファンの出力側に連通するように構成される。
【誤訳訂正４】
【訂正対象書類名】明細書
【訂正対象項目名】００５１
【訂正方法】変更
【訂正の内容】
【００５１】
一様な断面積の供給ダクトを使用することは、図８に示す直立作用をもたらすために必須ではないが、円筒形供給ダクトを使用することは製造が容易になるので好ましい。例えば、図９は、テーパー付きダクト１１ｅの使用を示す。ここでは、テーパーは、実際にはノズル１６を通る連続的な流量減少によってもたらされる軸方向の速度低下を補正するので直立作用は顕著ではないが、それでも直立作用はテーパー角が十分に浅いことを保証することで得られ、ダクトに沿った軸方向速度の正味低下が依然として存在する。換言すると、ノズル１６を通る連続的な流量減少は、軸方向速度Ｖ2を決定する支配的要因である。
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
超音波トランスデューサアレイプローブであって、
トランスデューサアレイに関するＡＳＩＣに結合されるトランスデューサ要素のアレイを持つトランスデューサスタックと、
前記トランスデューサスタックに熱的に結合される熱伝導フレームと、
プローブハンドルを形成し、少なくともフレームの部分を囲む筐体と、
前記フレームに対して熱的に結合される熱伝導性のヒートスプレッダであって、前記筐体におけるホットスポットの生成を防止するため、前記ヒートスプレッダから前記筐体、それから前記筐体を通り空気への主要な熱伝導をもたらし、前記筐体の内側表面領域と揃い、これに熱的に結合される外側表面領域を示す、熱伝導性のヒートスプレッダとを有する、超音波トランスデューサアレイプローブ。
【請求項２】
前記トランスデューサ要素のアレイが更に、トランスデューサ要素の２次元マトリクスアレイを有する、請求項１に記載の超音波トランスデューサアレイプローブ。
【請求項３】
前記ＡＳＩＣが更に、前記マトリクスアレイからの送信ビーム及び前記マトリクスアレイの要素により受信されるエコー信号を少なくとも部分的にビーム形成するビーム形成器ＡＳＩＣを有する、請求項２に記載の超音波トランスデューサアレイプローブ。
【請求項４】
前記トランスデューサスタックが更に、前記ＡＳＩＣ及び前記フレームの間に配置される熱伝導支持ブロックを有する、請求項１に記載の超音波トランスデューサアレイプローブ。
【請求項５】
前記フレーム及び前記ヒートスプレッダの間の熱結合を提供する熱ガスケット又は熱パテを更に有する、請求項１に記載の超音波トランスデューサアレイプローブ。
【請求項６】
前記フレームが、側面フランジを持ち、前記ヒートスプレッダは、前記フレームの側面フランジと熱伝導接触するよう固定される、請求項５に記載の超音波トランスデューサアレイプローブ。
【請求項７】
前記ヒートスプレッダが、前記フレームの側面フランジに対してねじ止め又はボルト締めにされる、請求項６に記載の超音波トランスデューサアレイプローブ。
【請求項８】
前記ヒートスプレッダ及び前記筐体の間の熱結合を提供する熱ガスケット又は熱パテを更に有する、請求項１に記載の超音波トランスデューサアレイプローブ。
【請求項９】
前記トランスデューサスタックが更に、前記ＡＳＩＣ及び前記フレームの間に配置される熱伝導支持ブロックを有し、
前記ヒートスプレッダは、前記支持ブロックに対して直接熱的に結合される、請求項１に記載の超音波トランスデューサアレイプローブ。
【請求項１０】
前記フレームに固定されるプリント回路基板を更に有する、請求項１に記載の超音波トランスデューサアレイプローブ。
【請求項１１】
金属組紐を持つプローブケーブルを更に有し、
前記フレームが更に、前記ケーブルの金属組紐に熱的に結合される、請求項１に記載の超音波トランスデューサアレイプローブ。
【請求項１２】
前記ヒートスプレッダが、アルミニウム又はマグネシウムでできている、請求項１に記載の超音波トランスデューサアレイプローブ。
【請求項１３】
前記フレームが、アルミニウム又はマグネシウムでできている、請求項１２に記載の超音波トランスデューサアレイプローブ。
【請求項１４】
前記筐体の少なくとも部分が、一体成形ユニットを形成するため、前記ヒートスプレッダの少なくとも部分の周りに成形される、請求項１に記載の超音波トランスデューサアレイプローブ。
【手続補正書】
【提出日】平成27年4月28日(2015.4.28)
【手続補正１】
【補正対象書類名】明細書
【補正対象項目名】００１３
【補正方法】変更
【補正の内容】
【００１３】
図１は、本発明によるニードル・アセンブリ収納アレイ１の例示的な一実施形態の斜視図を示す。アレイ１は、複数の相互連結されたニードル・アセンブリ収納コンパートメント２で形成され、これらのコンパートメントは、ペン注射器、自動注射器などのように注射デバイスと共に使用されるようなニードル・アセンブリを収容するように適合されている。ニードル・アセンブリは一般に、注射デバイスに嵌合するように適合されたニードル・ハブと、注射薬を送出するための針とを備える。ニードル・アセンブリ収納コンパートメント２のそれぞれは、近位部分６および遠位部分８を備える。近位部分６は、ニードル・ハブを収容するように寸法設定し成形することができ、遠位部分８は、針（またはその一部分）を収容するように寸法設定し成形することができる。
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
接着剤を作製するためのキットであって、
ポリマー成分を含む第一の溶液を含む第一の部であって、前記ポリマー成分が、１つ以上のアルデヒド基を有するポリマーを含む、第一の部と、
デンドリマー成分を含む第二の溶液を含む第二の部であって、前記デンドリマー成分が、１つ以上の表面基を有する少なくとも２つの枝を有するデンドリマーを含み、７５％未満の前記表面基が少なくとも１つの第一級又は第二級アミンを含む、第二の部と、を備える、キット。
【請求項２】
更に注射器を備え、前記第一の溶液及び第二の溶液が、前記注射器内に保管される、請求項１に記載のキット。
【請求項３】
前記注射器が、前記第一の溶液及び第二の溶液のための別個のリザーバを含む、請求項２に記載のキット。
【請求項４】
前記注射器が、混合先端部を含む、請求項１〜３のいずれか一項に記載のキット。
【請求項５】
更に、異なる濃度の前記第一の溶液を有する少なくとも２つのリザーバを備える、請求項１〜３のいずれか一項に記載のキット。
【請求項６】
更に、異なる濃度の前記第二の溶液を有する少なくとも２つのリザーバを備える、請求項１〜３のいずれか一項に記載のキット。
【請求項７】
更に、前記第一の溶液又は第二の溶液の少なくとも一方の適切な濃度を選択して、１つ以上の生物組織の特性を補償するための指示書を備える、請求項１に記載のキット。
【請求項８】
前記デンドリマー成分、ポリマー成分、又は両方の成分が、薬物を含む、請求項１に記載のキット。
【請求項９】
前記デンドリマー成分、ポリマー成分、又は両方の成分が、幹細胞又は他の細胞を含む、請求項１に記載のキット。
【請求項１０】
接着剤を作製するための方法であって、
ポリマー成分を含む第一の溶液であって、前記ポリマー成分が、１つ以上のアルデヒド基を有するポリマーを含む、第一の溶液を提供することと、
デンドリマー成分を含む第二の溶液であって、前記デンドリマー成分が、１つ以上の表面基を有する少なくとも２つの枝を有するデンドリマーを含み、前記表面基の７５％未満が、少なくとも１つの第一級又は第二級アミンを含む、第二の溶液を提供することと、
前記第一の溶液と第二の溶液とを混合先端部中で一緒に組み合わせて、接着剤を生成することと、を含む、方法。
【請求項１１】
前記ポリマーが、約１，０００〜約１，０００，０００Ｄａの分子量を有する、請求項１に記載のキット。
【請求項１２】
前記ポリマーの官能化度が、約１０％〜約７５％である、請求項１に記載のキット。
【請求項１３】
前記ポリマーが多糖である、請求項１に記載のキット。
【請求項１４】
前記ポリマーがデキストランである、請求項１に記載のキット。
【請求項１５】
前記デキストランが、約１０ｋＤａの分子量を有する、請求項１４に記載のキット。
【請求項１６】
前記デキストランの約５０％のヒドロキシル基がアルデヒドである、請求項１４に記載のキット。
【請求項１７】
前記デンドリマーが、少なくとも２世代を通して延びる、請求項１に記載のキット。
【請求項１８】
前記デンドリマーが、約１，０００〜約１，０００，０００Ｄａの分子量を有する、請求項１に記載のキット。
【請求項１９】
前記デンドリマーが、世代５ＰＡＭＡＭ−誘導デンドリマー、又は、少なくとも１つのヒドロキシルを有する表面基を含む開始デンドリマーを酸化することにより誘導されたデンドリマーである、請求項１に記載のキット。
【請求項２０】
前記デンドリマーが、前記デンドリマーの約２５％の表面基上に第一級アミンを有する世代５デンドリマーである、請求項１に記載のキット。
【請求項２１】
前記デンドリマー成分、ポリマー成分、又は両方が更に、発泡剤、ｐＨ調整剤、増粘剤、抗菌剤、着色剤、界面活性剤、及び放射線不透過性剤からなる群から選択される添加剤を含む、請求項１に記載のキット。
【請求項２２】
薬物送達組成物であって、
１つ以上のアルデヒド基を有するポリマーを含むポリマー成分と、
１つ以上の表面基を有する少なくとも２つの枝を有するデンドリマーを含み、７５％未満の前記表面基が少なくとも１つの第一級又は第二級アミンを含む、デンドリマー成分と、
前記ポリマー成分及びデンドリマー成分の少なくとも一方と組み合わされた少なくとも１種の薬物と、を含む、組成物。
【請求項２３】
前記ポリマー及びデンドリマー成分が、組み合わせにおいて、前記組成物を生物組織に接着させるのに有効である、請求項２２に記載の組成物。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
患者換気用のマスクであって、
患者の呼吸器開口部領域を囲むためのフレーム部分と、
フレーム部分と前記患者の呼吸器開口部領域との間の陽圧を維持するためフレーム部分と結合するように構成された保持ストラップと、
前記患者から前記保持ストラップ又は前記フレーム部分を取り外さなくても前記フレーム部分から物理的に取り付け、脱着を行うように構成されている取り外し可能な挿入物と、
前記フレーム部分と結合するように構成された、新鮮な呼吸ガスを前記患者に供給する呼吸リムとを備え、
前記呼吸リムは、前記取り外し可能な挿入物が前記フレーム部分から取り外された状態で前記新鮮な呼吸ガスを前記患者に送達する患者換気用のマスク。
【請求項２】
前記取り外し可能な挿入物は、前記フレーム部分を取り外さなくても前記患者の鼻領域へのアクセスを可能にする請求項１に記載のマスク。
【請求項３】
前記取り外し可能な挿入物は、前記フレーム部分を取り外さなくても前記患者の口領域へのアクセスを可能にする請求項１に記載のマスク。
【請求項４】
前記取り外し可能な挿入物と結合するように構成された呼吸リムをさらに備え、前記呼吸リムは前記取り外し可能な挿入物が前記フレーム部分と結合されたときに新鮮な呼吸ガスを前記患者に供給するように構成されている請求項１に記載のマスク。
【請求項５】
前記取り外し可能な挿入物は、治療用デバイスを備える請求項１に記載のマスク。
【請求項６】
前記取り外し可能な挿入物は、治療機能を前記患者に提供するように構成される請求項１に記載のマスク。
【請求項７】
前記取り外し可能な挿入物は、曇り防止コーティングを備える請求項１に記載のマスク。
【請求項８】
前記呼吸リムを前記マスクに接続するためのコネクタ部分をさらに備え、前記コネクタ部分は、前記コネクタが互換性のあるコンポーネントとのみ結合し、非互換のコンポーネントとの結合を防ぐように構成された請求項１に記載のマスク。
【請求項９】
前記コネクタ部分及び前記互換性のあるコンポーネントは、前記互換性のあるコンポーネントが前記コネクタ部分と正しく嵌合するように構成されていることを示す識別を可能にする対応する色を有する請求項８に記載のマスク。
【請求項１０】
前記コネクタ部分は、第１の色を備え、前記互換性のあるコンポーネントは第２の色を備え、前記コネクタ部分及び前記互換性のあるコンポーネントは、前記互換性のあるコンポーネントが前記コネクタ部分と正しく嵌合していることを示す識別を可能にする第３の色を組み合わせ形成するように構成され、前記第３の色は、前記第１の色及び前記第２の色と異なる請求項８に記載のマスク。
【請求項１１】
前記コネクタ部分及び前記非互換のコンポーネントは、前記非互換のコンポーネントが前記コネクタ部分と嵌合すべきでないことを示す識別を可能にする異なる色を有する請求項８に記載のマスク。
【請求項１２】
前記コネクタ部分は、対応する第１のバーコードを備え、前記互換性のあるコンポーネントは第２のバーコードを備え、前記第１のバーコード及び前記第２のバーコードは、前記互換性のあるコンポーネントが前記コネクタ部分と正しく嵌合するように構成されていることを確認するため比較されうる請求項８に記載のマスク。
【請求項１３】
前記コネクタ部分は、対応する第１のバーコードを備え、前記非互換のコンポーネントは第２のバーコードを備え、前記第１のバーコード及び前記第２のバーコードは、前記非互換のコンポーネントが前記コネクタ部分と嵌合するように構成されていないことを警告するため比較されうる請求項８に記載のマスク。
【請求項１４】
前記コネクタ部分は、対応する第１のＲＦＩＤを備え、前記互換性のあるコンポーネントは第２のＲＦＩＤを備え、前記第１のＲＦＩＤ及び前記第２のＲＦＩＤは、前記互換性のあるコンポーネントが前記コネクタ部分と正しく嵌合するように構成されていることを確認するため比較されうる請求項８に記載のマスク。
【請求項１５】
患者換気用のマスクであって、
患者の呼吸器開口部領域を囲むためのフレーム部分と、
前記フレーム部分と結合され、前記呼吸器開口部領域を覆う前方部と、
フレーム部分と患者との間の陽圧を維持するための保持ストラップと、
前記フレーム部分と結合され、前記ガス送達オリフィスが前記前方部の横に来るように構成されたガス送達オリフィスとを備え、
前記ガス送達オリフィスは、前記呼吸器開口部領域の端から端まで前記ガス流を送るように構成される患者換気用のマスク。
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
ユーザーをクラウドベースのサービスに自動的に再接続するためのコンピューティングデバイス上で実行される方法であって、
ユーザーについてのソースドメインにおけるクラウドベースのサービスへのアクセスを管理するセキュリティプリンシパルのメタデータ属性を決定するステップと、
宛先ドメインにおける前記ユーザーの新しいセキュリティプリンシパルを作成するステップと、
前記新しいセキュリティプリンシパルにおけるカスタマイズ可能なメタデータ属性において前記セキュリティプリンシパルのメタデータ属性の値を指定するステップと、
前記ユーザーを前記クラウドベースのサービスに再接続する要求を受け取るステップと、
前記セキュリティプリンシパル及び前記新しいセキュリティプリンシパルのメタデータ属性間の関連付けを使用して前記ユーザーを前記クラウドベースのサービスに再接続するステップであって、前記ソースドメインにおける前記セキュリティプリンシパルから前記宛先ドメインにおける前記新しいセキュリティプリンシパルへの接続の移行を制御するように構成される自動化されたクラウド再接続モジュールにおいて、前記新しいセキュリティプリンシパルのメタデータ属性の値を前記セキュリティプリンシパルのメタデータ属性と同一に設定することにより、前記関連付けが作成される、ステップと
を含む方法。
【請求項２】
前記メタデータ属性は一意の属性である請求項１に記載の方法。
【請求項３】
前記メタデータ属性は、グローバル一意識別子（ＧＵＩＤ）、電子メールアドレス、アカウント番号、及び従業員ＩＤのうちの１つである請求項２に記載の方法。
【請求項４】
前記セキュリティプリンシパルの削除に応答して前記新しいセキュリティプリンシパルを作成するステップをさらに含む請求項１に記載の方法。
【請求項５】
前記ユーザーを再接続する要求は、元のセキュリティドメインから新しいセキュリティドメインへのユーザーの移行に応答する請求項１に記載の方法。
【請求項６】
前記ユーザーを前記新しいセキュリティドメインに接続すると、前記ユーザーのクラウドベースのサービスへのアクセスを前記セキュリティプリンシパルから自動的に除去するステップをさらに含む請求項５に記載の方法。
【請求項７】
別のメタデータ属性を使用して二次的な検証を実行するステップをさらに含む請求項１に記載の方法。
【請求項８】
前記他のメタデータ属性は、グローバル一意識別子（ＧＵＩＤ）、電子メールアドレス、アカウント番号、及び従業員ＩＤの組のうちの１つであるが、前記メタデータ属性と同一ではない請求項７に記載の方法。
【請求項９】
前記二次的な検証が失敗した場合、前記新しいセキュリティプリンシパルを接続せず、前記クラウドベースのサービスに接続された前記セキュリティプリンシパルを残すステップをさらに含む請求項７に記載の方法。
【請求項１０】
前記セキュリティプリンシパルがセキュリティドメインの可視性から除去される場合、対応するユーザーの前記クラウドベースのサービスを、カスタマイズ可能な期間の間、未決定の削除としてマークするステップをさらに含む請求項１に記載の方法。
【請求項１１】
自動的な再接続によってクラウドベースのサービスを管理するコンピューティングデバイスであって、
命令を格納するメモリーと、
前記格納された命令に関連してセキュリティ管理アプリケーションを実行するプロセッサーと
を備え、前記セキュリティ管理アプリケーションは、
ユーザーについてのクラウドベースのサービスへのアクセスを管理するセキュリティプリンシパルのメタデータ属性を決定し、
前記ユーザーの新しいセキュリティプリンシパルを作成し、
前記新しいセキュリティプリンシパルにおけるカスタマイズ可能なメタデータ属性において前記セキュリティプリンシパルのメタデータ属性の値を指定し、
元のセキュリティドメインから新しいセキュリティドメインへの前記ユーザーの移行及び前記セキュリティプリンシパルの削除のうちの１つに応答して、前記ユーザーを前記クラウドベースのサービスに再接続する要求を受け取り、
自動化されたクラウドサービス再接続モジュールにおいて、前記セキュリティプリンシパル及び前記新しいセキュリティプリンシパルのメタデータ属性間の関連付けを使用して前記ユーザーを前記クラウドベースのサービスに再接続し、新しいセキュリティプリンシパルのカスタムメタデータ属性が、前記自動化されたクラウドサービス再接続モジュールによって、ソースセキュリティプリンシパルの一意のメタデータ属性に設定され、
セキュリティドメインにおける任意のセキュリティプリンシパルが前記自動化されたクラウドサービス再接続モジュールの可視性から除去される場合、前記クラウドベースのサービスを、カスタマイズ可能な期間の間、未決定の削除としてマークして、移行の場合における、宛先ドメインにおける前記セキュリティプリンシパルの前記クラウドベースのサービスへの再接続、及び、前記セキュリティプリンシパルの偶発的な削除の場合における、ソースドメイン内の前記新しいセキュリティプリンシパルの再接続のうちの１つを可能にし、
前記再接続の要求が前記ユーザーの前記新しいセキュリティドメインへの移行に応答する場合、前記ユーザーを前記新しいセキュリティドメインに接続すると、前記ユーザーを前記元のセキュリティドメインから自動的に除去する
ように構成されるコンピューティングデバイス。
【請求項１２】
前記セキュリティ管理アプリケーションが、
別のメタデータ属性を使用して二次的な検証を実行し、前記メタデータ属性は、グローバル一意識別子（ＧＵＩＤ）、電子メールアドレス、アカウント番号、及び従業員ＩＤの組のうちの異なる２つを含む請求項１１に記載のコンピューティングデバイス。
【請求項１３】
前記メタデータ属性は文字列として指定される請求項１１に記載のコンピューティングデバイス。
【請求項１４】
前記セキュリティ管理アプリケーションは前記クラウドベースのサービスを管理するホストされたサービスの一部である請求項１１に記載のコンピューティングデバイス。
【請求項１５】
前記ユーザーを再接続する要求が、フォレスト統合、情報技術の組織再編、組織の合併、従業員の状態の変更、及びセキュリティグループにおける元のセキュリティプリンシパルの偶発的な削除の組のうちの少なくとも１つの結果である請求項１１に記載のコンピューティングデバイス。